(57)【要約】【課題】極めて効率的に流体を混ぜることができ、処理能力が高く、高耐圧を有する流体制御デバイスを提供する。【解決手段】本発明の流体制御デバイスは、単一の混合空間と、トレンチ構造をなす複数の誘導空間と、複数の流入空間と、を内在した基体からなる流体制御デバイスであって、混合空間から見て、誘導空間の一方の開口部は、略長方形状をなすトレンチ構造のそれぞれに接続して配される複数の微細孔の開口部からなり、隣接する位置関係にある誘導空間の一方のトレンチ構造の長辺同士が、離間して所定の間隔で並列に配され、隣接する位置にある、一方のトレンチ構造における微細孔の開口部に対応する、他方のトレンチ構造における微細孔の開口部が各々、異なる流入空間へ連通している。【選択図】図１
2015000375.tif 000002
【特許請求の範囲】
【請求項１】
単一の混合空間と、トレンチ構造をなす複数の誘導空間と、複数の流入空間と、を内在した基体からなる流体制御デバイスであって、
前記混合空間から見て、前記誘導空間の一方の開口部は、略長方形状をなす前記トレンチ構造のそれぞれに接続して配される複数の微細孔の開口部からなり、
隣接する位置関係にある該誘導空間の一方のトレンチ構造の長辺同士が、離間して所定の間隔で並列に配され、隣接する位置にある、一方のトレンチ構造における微細孔の開口部に対応する、他方のトレンチ構造における微細孔の開口部が各々、異なる前記流入空間へ連通している、ことを特徴とする流体制御デバイス。
【請求項２】
前記一方のトレンチ構造における微細孔の開口部と、他方のトレンチ構造における微細孔の開口部は、前記混合空間に対する面内において二次元的に配置されている、ことを特徴とする請求項１に記載の流体制御デバイス。
【請求項３】
前記混合空間に対する面内における前記微細孔の開口部の配置は、異なる前記流入空間に通じる開口部同士が、最も隣接した位置を成している、ことを特徴とする請求項２に記載の流体制御デバイス。
【請求項４】
前記トレンチ構造は、該トレンチ構造の長辺方向に沿って配された隔壁によって、２つ以上に分割されている、ことを特徴とする請求項１乃至３のいずれか一項に記載の流体制御デバイス。
【請求項５】
請求項１乃至４のいずれか一項に記載の流体制御デバイスと、該流体制御デバイスを内在するとともに、該流体制御デバイスの領域Ｃに面する単一の流出空間、及び、該流体制御デバイスの領域Ｂと領域Ｃに個別に面する流入空間を少なくとも備えた筐体と、から構成されている、ことを特徴とする流体混合器。
【発明の詳細な説明】
【技術分野】
【０００１】
本発明は、微小な空間において流体を混ぜる流体制御デバイス、及び流体混合器に関する。このような流体制御デバイス、及び流体混合器は、たとえば、マイクロミキサやμＴＡＳ（「Micro-TAS」とも呼ぶ：Micro Total Analysis Systems）に好適に用いられる。ここで、μＴＡＳは、MEMS技術を用いて、チップ上に微小な流路や反応室、混合室を設け、一つのチップもしくはデバイスで血液やDNAをはじめ様々な液体や気体を分析する生化学分析デバイスを意味する。
【背景技術】
【０００２】
混合、反応、抽出、分離、加熱、冷却などの化学プロセスを微細な流路や微小な空間において行うマイクロ化学プロセスが提案され、微小空間での高効率な混合を可能とするマイクロミキサの研究がなされている。
【０００３】
マイクロミキサは、数百μｍ以下の微小な空間で混合を行うデバイスであり、混合される基質間の距離を短くできるため、混合効率を大きく向上させることができる。一例として、界面活性剤を用いることなく、エマルジョンを生成することができるマイクロ乳化器及び乳化方法が知られている（特許文献１）。
また、複数の流入口から流入した液体を、精密加工で溝を刻んだプレートの組合せにより形成された三次元的な流路で、分割・混合を繰り返して混合液とするマイクロミキサが知られている（非特許文献１）。
【０００４】
また、インスティトゥートフュアミクロテヒニクマインツＧｍｂＨ（Institut fuer Mikrotechnik Mainz ＧｍｂＨ）のマイクロミキサが知られている（特許文献２）。このマイクロミキサは、二つの流路群が混合する混合部では流路がそれぞれ互い違いに配置されており、上部にスリットを設けそこから流体が出てくることで、２液を混合するものである。
また、各々独立した複数の流路を持つ流路群を備え、混合部では流路群が千鳥格子状に配置する構造が提案されている。
しかしながら、流れを多数に分割するために、精密加工技術を用いて複雑なマルチ流路を形成する必要があり、製造コストが増加するという問題があった。
【０００５】
また、マルチ流路を用いた場合であっても、平面的に形成された微小流路では、流体は依然として層流であり、撹拌・混合は拡散で支配されるため、混合効率に関して改良の余地があった。そのために、マルチ流路が形成されたプレートを積層することにより、三次元的な流路を形成した場合、装置構成が複雑となり、積層されたプレートの接合界面で液漏れし、耐圧も高くすることができないという問題があった。
更に、生成された固形物が積層されたプレートの接合界面の流路の交差部分などに徐々に堆積して流路を部分的に閉塞し、このため、液体の混合効率が大きく低下する虞もあった。
【０００６】
また、特許文献２に記載されているマイクロミキサでは、２液境界面が２面であり、混合性能を極限まで高めることができない。
【先行技術文献】
【特許文献】
【０００７】
【特許文献１】特開２００４−８１９２４号公報
【特許文献２】特表２００３−５００２０２号公報
【非特許文献】
【０００８】
【非特許文献１】Savemation  Review  ２００５年８月号  ６０−６３頁
【発明の概要】
【発明が解決しようとする課題】
【０００９】
本発明は、前述した事実に鑑みてなされたものであって、極めて効率的に流体を混ぜることができ、処理能力が高く、高耐圧を有する流体制御デバイス、及び流体混合器を提供することを目的とする。
【課題を解決するための手段】
【００１０】
本発明の請求項１に記載の流体制御デバイスは、単一の混合空間と、トレンチ構造をなす複数の誘導空間と、複数の流入空間と、を内在した基体からなる流体制御デバイスであって、前記混合空間から見て、前記誘導空間の一方の開口部は、略長方形状をなす前記トレンチ構造のそれぞれに接続して配される複数の微細孔の開口部からなり、隣接する位置関係にある該誘導空間の一方のトレンチ構造の長辺同士が、離間して所定の間隔で並列に配され、隣接する位置にある、一方のトレンチ構造における微細孔の開口部に対応する、他方のトレンチ構造における微細孔の開口部が各々、異なる前記流入空間へ連通している、ことを特徴とする。
【００１１】
本発明の請求項２に記載の流体制御デバイスは、請求項１に記載の流体制御デバイスにおいて、前記一方のトレンチ構造における微細孔の開口部と、他方のトレンチ構造における微細孔の開口部は、前記混合空間に対する面内において二次元的に配置されている、ことを特徴とする。
【００１２】
本発明の請求項３に記載の流体制御デバイスは、請求項２に記載の流体制御デバイスにおいて、前記混合空間に対する面内における前記微細孔の開口部の配置は、異なる前記流入空間に通じる開口部同士が、最も隣接した位置を成している、ことを特徴とする。
【００１３】
本発明の請求項４に記載の流体制御デバイスは、請求項１乃至３のいずれか一項に記載の流体制御デバイスにおいて、前記トレンチ構造は、該トレンチ構造の長辺方向に沿って配された隔壁によって、２つ以上に分割されている、ことを特徴とする。
【００１４】
本発明の請求項５に記載の流体混合器は、請求項１乃至４のいずれか一項に記載の流体制御デバイスと、該流体制御デバイスを内在するとともに、該流体制御デバイスの領域Ｃに面する単一の流出空間、及び、該流体制御デバイスの領域Ｂと領域Ｃに個別に面する流入空間を少なくとも備えた筐体と、から構成されている、ことを特徴とする。
【発明の効果】
【００１５】
本発明によれば、極めて効率的な混合を可能にすると共に、処理能力が高く、高耐圧を有する流体制御デバイス、及び流体混合器を提供することができる。
【図面の簡単な説明】
【００１６】
【図１】第１実施形態（タイプ１）に係る流体制御デバイスの一例を示す模式図。
【図２】第１実施形態の変形例１Ａに係る流体制御デバイスを示す模式図。
【図３】第１実施形態の変形例１Ｂに係る流体制御デバイスを示す模式図。
【図４】第１実施形態の流体制御デバイスを備えた流体混合器の一例を示す断面模式図。
【図５】流体制御デバイスにおける流出空間に対する流路の開口部配置を示す平面図。
【図６】流体制御デバイスにおける微細孔の形状を示す断面模式図。
【図７】温度制御手段を備えた流体制御デバイスを模式的に示した斜視図。
【図８】第１実施形態の流体制御デバイスを備えた流体混合器の他の一例を示す断面模式図。
【図９】第２実施形態（タイプ２）に係る流体制御デバイスの一例を示す模式図。
【図１０】第２実施形態の変形例２Ａに係る流体制御デバイスを示す模式図。
【図１１】第２実施形態の変形例２Ｂに係る流体制御デバイスを示す模式図。
【図１２】第２実施形態の流体制御デバイスを備えた流体混合器の一例を示す断面模式図。
【図１３】着脱可能な流体制御デバイスを備えた流体混合器の構成を説明するための模式図。
【図１４】流体制御デバイスを搭載したμＴＡＳチップの一構成例を示す模式図。
【図１５】比較例に係る流体制御デバイスの一構成例を示す模式図。
【発明を実施するための形態】
【００１７】
次に図面を参照しながら、以下に実施形態及び具体例を挙げ、本発明を更に詳細に説明するが、本発明はこれらの実施形態及び実施例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１８】
（１）流体制御デバイスの構成（タイプ１）
（１−１）第１実施形態（Ｎｏ．Ｅ１）
図１は、本実施形態に係る流体制御デバイス１ａ（１）の一構成例を示す模式図であり、（ａ）は、流体制御デバイス１を模式的に示した斜視図、（ｂ）は、矢視Ｘ１−Ｘ１の断面模式図、（ｃ）は、矢視Ｙ１−Ｙ１の断面模式図、（ｄ）は、矢視Ｚ１の平面図である。
以下、本発明に係る第１実施形態を、図面を参照しながら説明する。
【００１９】
本発明の流体制御デバイス１ａ（１）は、単一の混合空間と、トレンチ構造をなす複数の誘導空間と、複数の流入空間と、を内在した基体からなる。
本発明の流体制御デバイスは、前記混合空間から見て、前記誘導空間の一方の開口部は、長方形状をなす前記トレンチ構造のそれぞれに接続して配される複数の微細孔の開口部からなり、隣接する位置関係にある該誘導空間の一方のトレンチ構造の長辺同士が、離間して所定の間隔で並列に配され、隣接する位置にある、一方のトレンチ構造における微細孔の開口部に対応する、他方のトレンチ構造における微細孔の開口部が各々、異なる前記流入空間へ連通している。
【００２０】
図１に示すように、流体制御デバイス１ａ（１）は、単一の混合空間と、トレンチ構造をなす複数の誘導空間と、複数の流入空間と、を内在した基体からなる。特に、図１に示した「第１実施形態」は、平板状をなす基体において、２つの流入空間Ｓｂ、Ｓｃが基体の対向する２つの側面側（Ｂ、Ｃ）に、流出空間Ｓａが基体の上面側（Ａ）に、それぞれ配置された場合を示している。
単一の基体２内に、複数のトレンチ構造３、３、・・・、４、４、・・・が形成されている。混合空間から見て、前記トレンチ構造３、３、・・・、４、４、・・・は、略長方形状をなす。ここで、略長方形状とは、図１（ｃ）の部分拡大図に示すように、前記トレンチ構造３の先端部３ｐ（すなわち、流入空間から最も遠い、奥まった部位）が、前記混合空間から見て、直線状である他に、丸みを帯びた形状（たとえば円弧状）を成している構成も含むことを意味する。前記トレンチ構造４の先端部４ｐも同様である。
また、基体２内において、隣接する位置関係にある誘導空間の、一方のトレンチ構造の長辺同士が、離間して所定の間隔で並列に配されている。
【００２１】
複数のトレンチ構造３、３、・・・、４、４、・・・のそれぞれに接続して配される、複数の微細孔５、５、・・・、６、６、・・・が形成されている。混合空間から見て、前記誘導空間の一方の開口部は、複数の微細孔５、５、・・・、６、６、・・・の開口部５ｂ、５ｂ、・・・、６ｂ、６ｂ、・・・からなる。
流入空間から見て、前記誘導空間の他方の開口部は、複数のトレンチ構造３、３、・・・、４、４、・・・の開口部３ａ、３ａ、・・・、４ａ、４ａ、・・・からなる。
一方のトレンチ構造３、３、・・・における微細孔５、５、・・・の開口部５ｂ、５ｂ、・・・に対応する、他方のトレンチ構造４、４、・・・における微細孔６、６、・・・の開口部６ｂ、６ｂ、・・・が各々、異なる前記流入空間へ連通している。
【００２２】
これら複数の誘導空間のうち特定の一群を構成する誘導空間群αは、基体２の表面（外面）における領域Ａと領域Ｂに各々開口部３ａ、３ａ、・・・、５ｂ、５ｂ、・・・を有する。
誘導空間のうち他の特定の一群を構成する誘導空間群βは、基体２の表面（外面）における領域Ａと領域Ｃに各々開口部４ａ、４ａ、・・・、６ｂ、６ｂ、・・・を有している。
また、基体２内において、それぞれの誘導空間群α、β（１）に属する微細孔５、５、・・・、６、６、・・・は、他の微細孔と離間して配されている。
【００２３】
図１（ｂ）、（ｃ）の断面模式図に示すように、単一の基体２内に設けられたトレンチ構造３、３、・・・及び微細孔５、５、・・・、は、基体２の表面（外面）における領域Ａと領域Ｂとを連通した３次元的な誘導空間群αとして形成されている。同様に、トレンチ構造４、４、・・・及び微細孔６、６、・・・、は、基体２の表面（外面）における領域Ａと領域Ｃとを連通した三次元的な誘導空間群β（１）として形成されている。
【００２４】
領域Ａに面した誘導空間群α及び誘導空間群β（１）のそれぞれの微細孔５、５、・・・、６、６、・・・の開口部５ｂ、５ｂ、・・・、６ｂ、６ｂ、・・・は、図１（ｄ）に示すように、領域Ａに対する面内において、二次元的に配列されている。また、開口部同士が、互い違いに、最も隣接した位置をなして形成されている。
流体制御デバイス１では、異なる材料（流体）が、それぞれ異なる空間、例えば流入空間ｃから流入し、誘導空間であるトレンチ構造３、３、・・・、４、４、・・・及び微細孔５、５、・・・、６、６、・・・を通り、共通する空間、例えば混合空間から流出する。
トレンチ構造３、３、・・・、４、４、・・・に接続して配される複数の微細孔５、５、・・・、６、６、・・・を形成することで、誘導空間をトレンチ構造のみとした場合よりも流速分布を均一にすることができる上に、誘導空間内の圧力損失を最小限に抑え、２液境界面を４面とすることができる。このため、流体の混合速度を速めることができる。なお、前記特許文献２に記載されているマイクロミキサでは、２液境界面は２面である。
【００２５】
（１−２）変形例１Ａ（Ｎｏ．Ｅ２）
図２は、本実施形態（第１実施形態）に係る流体制御デバイス１の一変形例（以下、変形例１Ａとも呼ぶ）を示す模式図であり、矢視Ｚ２の平面図である。
図１に示したトレンチ構造及び微細孔の三次元的なレイアウトを適宜変更することによって、誘導空間群αおよび誘導空間群β（１）の微細孔の、領域Ａに対する開口部を、図２に示した流体制御デバイス１ｂ（１）のように、千鳥格子状に配置することもできる（図２）。
トレンチ構造３、３、・・・、４、４、・・・に接続して配される複数の微細孔５、５、・・・、６、６、・・・の開口部５ｂ、５ｂ、・・・、６ｂ、６ｂ、・・・を千鳥格子状に配することで、流速分布を均一にすることができる上に、２液境界面を４面とすることができる。このため、流体の混合速度を速めることができる。
【００２６】
トレンチ構造３、３、・・・、４、４、・・・の幅及び辺の長さは、領域Ａにおいては、例えば、マイクロ・メーター乃至ナノ・メーターのオーダーとすることが好適である。また、トレンチ構造３、３、・・・、４、４、・・・の開口部間の距離は、例えば、マイクロ・メーター乃至ナノ・メーターのオーダーとすること好適である。複数種類の流体を、トレンチ構造３、３、・・・、４、４、・・・を通じて領域Ａの外側へ噴出させ、それぞれの流体を混ぜる場合に、その処理能力が高くなるからである。
【００２７】
微細孔５、５、・・・、６、６、・・・の長径は、領域Ａにおいては、例えば、マイクロ・メーター乃至ナノ・メーターのオーダーとすることが好適である。また、微細孔５、５、・・・、６、６、・・・の開口部間の距離は、例えば、マイクロ・メーター乃至ナノ・メーターのオーダーとすること好適である。複数種類の流体を、微細孔５、５、・・・、６、６、・・・を通じて領域Ａの外側へ噴出させ、それぞれの流体を混ぜる場合に、その処理能力が高くなるからである。
なお、本発明（たとえば、本実施形態に係る流体制御デバイス１ｂ（１）の説明）において、「混ぜる」とは、複数の流体を混合させ、反応させ、あるいは、乳化（エマルジョン）することをいう（以下、μＴＡＳの説明においても、同様の意味で使用する）。
誘導空間群α及び誘導空間群β（１）を構成するトレンチ構造３、３、・・・、４、４、・・・および微細孔５、５、・・・、６、６、・・・の数としては、特に限定されるものではなく、制御される流体の種類、処理能力に応じて、適宜選択することができる。また、領域Ｂと領域Ｃは、同一の基板面の異なる領域に設定されていても良い。さらに、領域Ａ、領域Ｂ、領域Ｃ（・・・）が全て同一の面に存在していても良い。
【００２８】
（１−３）変形例１Ｂ（Ｎｏ．Ｅ３）
図３は、本実施形態（第１実施形態）に係る流体制御デバイス１の一変形例（以下、変形例１Ｂとも呼ぶ）を示す模式図であり、（ａ）は、流体制御デバイス１ｃ（１）を模式的に示した斜視図、（ｂ）は、矢視Ｘ３−Ｘ３の断面模式図、（ｃ）は、矢視Ｙ３−Ｙ３の断面模式図、（ｄ）は、矢視Ｚ３の平面図である。図３に示した「変形例２」も、図１と同様に、平板状を成す基体において、２つの流入空間Ｓｂ、Ｓｃが基体の対向する２つの側面側（Ｂ、Ｃ側）に、流出空間Ｓａが基体の上面側（Ａ側）に、それぞれ配置された場合を表している。
【００２９】
流体制御デバイス１ｃ（１）において、前記トレンチ構造３、３、・・・、４、４、・・・は、該トレンチ構造の長辺方向に沿って配された隔壁３１，３１・・・、４１，４１・・・によって、２つ以上に分割されている（図３の場合は、トレンチ構造３が各々３つ（３ａ）に、トレンチ構造４も各々３つ（４ａ）に分割された構成例を表している）。これにより誘導空間内の圧力損失のばらつきを最小限に抑え、より均一な混合が可能となる。
なお、図３の構成例においても、混合空間から見て、前記トレンチ構造３、３、・・・、４、４、・・・は、略長方形状をなす。ここで、略長方形状とは、図３（ｃ）の部分拡大図に示すように、前記トレンチ構造３の先端部３ｐ（すなわち、流入空間から最も遠い、奥まった部位）が、前記混合空間から見て、直線状である他に、丸みを帯びた形状（たとえば円弧状）を成している構成も含むことを意味する。前記トレンチ構造４の先端部４ｐも同様である。
【００３０】
上述した実施形態に係る流体制御デバイス１（１ａ、１ｂ、１ｃ）は、筐体２０内に配されることにより、流体混合器１０を構成することもできる。
（２）流体混合器の構成（タイプ１）
図４は、流体混合器１０Ａ（１０）の一構成例を示す断面模式図であり、上記（１−１）に開示した流体制御デバイスを搭載した場合である。
図４（ａ）に示すように、流体混合器１０Ａ（１０）は、流体制御デバイス１と、該流体制御デバイス１を内在し、該流体制御デバイス１の領域Ａに面する単一の流出空間Ｓａと、該流体制御デバイス１の領域Ｂと領域Ｃに個別に面する単一の流入空間Ｓｂ、Ｓｃを備えた筐体２０から構成されている。筐体２０としては、例えば、ステンレス等の金属類を用いることができる。図４（ａ）に示す流体混合器１０Ａ（１０）では、流体制御デバイス１（の外面）と筐体２０（の内面）が互いに直接的に接触するように構成されている。
【００３１】
筐体２０Ａ（２０）は、流体制御デバイス１を構成する基体２の領域Ａの表面（外面）に対向して流出空間Ｓａを形成する上部筐体２０Ａａと、基体２の領域Ｂ、Ｃの表面（外面）に対向して流入空間Ｓｂ、Ｓｃを形成する下部筐体２０Ａｂと、からなる。また、流体制御デバイス１の領域Ａ、Ｂ、Ｃのそれぞれの表面（外面）と、上部筐体２０Ａａ及び下部筐体２０Ａｂとは、必要に応じてシール部材（図示略）を介して接合され、流出空間Ｓａと流入空間Ｓｂ、Ｓｃとは独立した空間として形成されている。シール部材としては、Ｏリング等の弾性シール部材を用いることができる。
流体混合器１０Ａ（１０）では、異なる材料（流体）が、それぞれ異なる空間、例えば流入空間Ｓｂ、Ｓｃから流入し、誘導空間であるトレンチ構造３、３、・・・、４、４、・・・及び微細孔５、５、・・・、６、６、・・・を通り、共通する空間、例えば流出空間Ｓａから流出する。
【００３２】
図４に示すように、流体混合器１０Ａ（１０）は、流体制御デバイス１を、上下に分割した筐体２０Ａａ、２０Ａｂで挟持して接合することによって、流体制御デバイス１を着脱可能としている。従って、混ぜられる流体の種類、性質に応じて、流体制御デバイスを適宜選択したり、あるいは、定期的にメンテナンス（修理、交換）することができる。
【００３３】
（３）流体制御デバイスの他の応用例
（ａ）このような流体制御デバイス１（１ａ、１ｂ、１ｃ）において、複数の誘導空間の圧力損失のばらつきが、±１０％以内であることが好ましい。
複数の誘導空間に、等速で流体を流せるとして、各誘導空間の圧力損失のばらつきを、±１０％以内に収めるように、各トレンチ構造３、３、・・・、４、４、・・・及び微細孔５、５、・・・、６、６、・・・を設計することが好ましい。圧力損失のばら付きが±１０％よりも大きくなると、処理速度によっては、流体の混合性に大きなばらつきが生じる可能性がある。
【００３４】
（ｂ）流体制御デバイス１（１ａ、１ｂ、１ｃ）において、複数の誘導空間が、略同じ長さを有することが好ましい。
誘導空間として機能する複数のトレンチ構造３、３、・・・、４、４、・・・及び微細孔５、５、・・・、６、６、・・・の長さを統一することにより、流出空間Ｓａに対する面内における各微細孔５、５、・・・、６、６、・・・の開口部５ｂ、５ｂ、・・・、６ｂ、６ｂ、・・・における、流体の流速を均一化することができる。それぞれの誘導空間の流出口となる、微細孔５、５、・・・、６、６、・・・の開口部５ｂ、５ｂ、・・・、６ｂ、６ｂ、・・・における流体の流速を揃えることで、均一に流体が流出し、流体をより均一に混合することができる。各微細孔の開口部５ｂ、５ｂ、・・・、６ｂ、６ｂ、・・・における流速誤差は、平均値より±１００％以内であることが好ましく、±５０％以内であることがより好ましい。
【００３５】
各トレンチ構造３、３、・・・、４、４、・・・及び微細孔５、５、・・・、６、６、・・・の幅、短辺の長さ或いは径が同じであるとみなせるとき、各トレンチ構造３、３、・・・、４、４、・・・の長辺の長さ及び微細孔５、５、・・・、６、６、・・・の長さが等しくなるように設計すればよい。これにより、各微細孔５、５、・・・、６、６、・・・の開口部５ｂ、５ｂ、・・・、６ｂ、６ｂ、・・・における、流体の流速を均一化することができる。一方、各トレンチ構造３、３、・・・、４、４、・・・及び微細孔５、５、・・・、６、６、・・・の幅、短辺の長さ或いは径が異なる場合、幅、短辺の長さ或いは径に応じて、長さを適宜変えることにより、開口部５ｂ、５ｂ、・・・、６ｂ、６ｂ、・・・における流体の流速を、より均一にすることができる。トレンチ構造３、３、・・・、４、４、・・・及び微細孔５、５、・・・、６、６、・・・の長さを変える場合には、流出口となる他方の開口部５ｂ、５ｂ、・・・、６ｂ、６ｂ、・・・のピッチを調整する、あるいは流入口となる一方の開口部３ａ、３ａ、・・・、４ａ、４ａ、・・・の位置を調整することで、トレンチ構造３、３、・・・、４、４、・・・及び微細孔５、５、・・・、６、６、・・・の長さを変えることができる。
【００３６】
（ｃ）流体制御デバイス１（１ａ、１ｂ、１ｃ）において、流出空間Ｓａに対する面内における微細孔５、５、・・・、６、６、・・・の開口部５ｂ、５ｂ、・・・、６ｂ、６ｂ、・・・の配置を、流出空間Ｓａに対する面内において、ピッチがランダムになるようにしてもよい。
誘導空間の流出口となる、微細孔５、５、・・・、６、６、・・・の開口部５ｂ、５ｂ、・・・、６ｂ、６ｂ、・・・のピッチを乱し、ランダムな配置とする。これにより、流体の拡散長が場所によって異なることとなり、均一ではない（ランダムな）混合を実現できる。その結果、ランダムな生成物を得ることができる。例えば、この流体制御デバイス１、１ａ、１ｂをナノ粒子製造に用いる場合、粒径の揃った単分散の粒子ではなく、流径が一定のばらつきを持った、多分散の粒子を一度に安定して加工することができる。
【００３７】
（ｄ）流体制御デバイス１（１ａ、１ｂ、１ｃ）において、流出空間Ｓａに対する面内における微細孔５、５、・・・、６、６、・・・開口部５ｂ、５ｂ、・・・、６ｂ、６ｂ、・・・の配置を、該面内における特定の領域におけるピッチと、他の特定の領域におけるピッチとが、異なるようにしてもよい。
例えば図５に示すように、誘導空間の流出口となる、微細孔５、５、・・・、６、６、・・・の開口部５ｂ、５ｂ、・・・、６ｂ、６ｂ、・・・のピッチを、面内の第一の領域Ｍと、第二の領域Ｎとで、異なるものとする。これにより、流体の拡散長が面内の領域によって異なることとなる。例えば第一の領域Ｍにおける微細孔のピッチを小さく（狭く）し、第二の領域Ｎにおける微細孔のピッチを大きく（広く）した場合、流体の混合速度が、第一の領域Ｍでは早くなり、第二の領域Ｎでは遅くなる。これにより、例えば、この流体制御デバイスをナノ粒子製造に用いる場合、粒径の揃った単分散の粒子ではなく、粒径２水準を有する粒子の同時成形等、異なる２種の生成物或いはばらつきを持った生成物を得ることができる。
【００３８】
（ｅ）流体制御デバイス１（１ａ、１ｂ、１ｃ）において、流出空間Ｓａに対する面内における微細孔５、５、・・・、６、６、・・・の開口部５ｂ、５ｂ、・・・、６ｂ、６ｂ、・・・近傍において、微細孔の径が絞られた構造としてもよい。
図６に示すように、誘導空間の流出口となる、微細孔５、５、・・・、６、６、・・・の開口部５ｂ、５ｂ、・・・、６ｂ、６ｂ、・・・近傍において、微細孔５、５、・・・、６、６、・・・の径を絞り、テーパー状とする。これにより、流出口近傍での流体の流速が上がり、渦流が発生しやすくなる。これにより流体の混合性が向上する。また、流出口近傍の微細孔径のみが細いので、圧力損失の上昇を最小限に抑えることが可能となる。なお、図６では、微細孔の形状を説明するために、１つの孔のみを示している。
【００３９】
テーパー角には好適な角度として、微細孔３、４の流出口径をｄ１  とし、内部径をｄ２  としたとき、テーパー距離Ｌに対する、誘導空間幅の縮小分ΔＤ（ｄ１  −ｄ２  ）の比率（ΔＤ／Ｌ）が、０.０５〜２の範囲が好ましく、０.１〜１の範囲がより好ましい。（ΔＤ／Ｌ）が０.０５よりも小さい場合、十分な微細孔径差を生み出すことが難しくなる。一方、（ΔＤ／Ｌ）が２よりも大きい場合、流体の種類によっては、誘導空間内で滞留が起き、誘導空間内に堆積物ができやすくなる。例えば、微細孔の流出口径ｄ１  が２３μｍ、内部径ｄ２  が２５μｍである場合、流出口近傍では１８％程度の流速の増大が期待できる。そのため、誘導空間径の差ΔＤは、１μｍ以下であれば十分な効果が得られる。
【００４０】
（ｆ）流体制御デバイス１（１ａ、１ｂ、１ｃ）において、流出空間Ｓａに対する面内における微細孔５、５、・・・、６、６、・・・の開口部５ｂ、５ｂ、・・・、６ｂ、６ｂ、・・・近傍において、微細孔の径が広げられた構造としてもよい。
誘導空間の流出口となる、微細孔５、５、・・・、６、６、・・・の開口部５ｂ、５ｂ、・・・、６ｂ、６ｂ、・・・近傍において、微細孔５、６の径を広げた構造としてもよい。このような構造とすることで、隣りあう微細孔５、５、・・・、６、６、・・・から流出する２種類の流体間に生じる流れの剥離を抑制することができる。これにより乱流及び微細孔５、５、・・・、６、６、・・・から流出した流体の抵抗を抑えることができるため、より大きな圧力で流体を押し出すことが可能となる。その結果、混合物の処理量を増加することができる。
【００４１】
（ｇ）流体制御デバイス１（１ａ、１ｂ、１ｃ）において、誘導空間の側壁に、コーティング層が設けられていてもよい。
トレンチ構造３、３、・・・、４、４、・・・及び微細孔５、５、・・・、６、６、・・・の側壁に、コーティング層を設けることで、流体制御デバイスの耐薬品性を向上することができる。しかし、耐薬品性を持たせるには、コーティング層の厚膜化が必要となるため、基体２側に厚膜コーティング層を設けることは困難であるが、筺体側に設けることができる。
なお、誘導空間に粘着性の高い流体を流すと、側壁に付着物が堆積し、孔が詰まる懸念がある。フッ素樹脂コーティング層は薄膜で塗布形成することができるため、微細孔内にも形成可能である。そのため、基体２側へのフッ素樹脂コーティング層を設けることで、トレンチ構造３、３、・・・、４、４、・・・及び微細孔５、５、・・・、６、６、・・・の詰まりを抑制することができる。
【００４２】
（ｈ）流体制御デバイス１（１ａ、１ｂ、１ｃ）において、基体２の内部に、温度調整手段が設けられていてもよい。
領域Ａの下流側に別途マイクロ誘導空間を設け、誘導空間内を流れる物質の温度をコントロールできるように温度調整手段を設けてもよい。温度調整手段としては特に限定されるものではないが、基体２上に、ヒーター、あるいはヒーター及び温度センサ部となる配線構造を形成することができる。この際、溶液に対して絶縁を保つため、基体２上に絶縁層を設けても構わない。ヒーターあるいは温度センサの配線としては、例えば、ニクロム、ＩＴＯなどが上げられる。また、昇温のためにマイクロ波を使用しても構わない。
例えば図７に示すように、基体２上に温度制御手段として導管あるいはＰＷＷ（ポストウォールウェーブガイド）９０などを設けるとともに、基体２の内部に流路２５を設けることにより、加熱することが可能となる。また、基体２上に温度制御手段として流路を設け、この流路内に、適切な温度を有する流体（液体やガス）を流すことにより、昇温、冷却を行ってもよい。
【００４３】
（ｉ）流体制御デバイス１（１ａ、１ｂ、１ｃ）において、基体２の外側に、温度調整手段が設けられていてもよい。
基体２の外側（例えば筺体２０部分）に、温度調整機構を設けてもよい。温度調整手段としては、特に限定されず、例えば、温度センサとなる熱電対、ヒーターとなるマイクロヒータを用いることができる。これらの温度調整機構の挿入口を、基体２の外側に設ければよい。或いは、基体２内部に流路を設け、この流路内に、適切な温度を有する流体（液体やガス）を流すことにより、昇温、冷却を行ってもよい。
【００４４】
（ｊ）流体制御デバイス１（１ａ、１ｂ、１ｃ）において、基体２は、一方が流出空間Ｓａに連通し、他方が表面に連通する流出口流路２１を有し、該流出口流路２１は、一方側が広く、他方側が狭くなるように径が絞られた構造としてもよい。
図８に示すように、筐体２０に設けられた、一方が流出空間Ｓａに連通し、他方が表面に連通する流出口流路２１において、流出口流路２１の他方側を絞りのある構造としてもよい。領域Ａでは微細孔５、５、・・・、６、６、・・・が２次元的な配列をとるため、領域Ａにおいて基体２の開口面積は、誘導空間群のある領域の面積よりも大きな面積とする必要がある。一方で、微細孔５、５、・・・、６、６、・・・を出た２種類の流体の混合を速めるには、流出口流路の径を小さくし、流体間の拡散距離を小さくすることが好ましい。そのため、領域Ａにおける流出口誘導空間を絞りを有する構造とすることが好ましい。
【００４５】
（４）流体制御デバイスの製造方法
次に、上述した流体制御デバイス１の製造方法を説明する。なお、流体制御デバイス１の変形例に係るそれぞれの流体制御デバイスの製造方法についても、流体制御デバイス１と同様である。
【００４６】
本実施形態の流体制御デバイス１の製造工程は、基体２の内部にパルス時間幅がピコ秒オーダー以下のパルス幅を有するレーザ光を集光照射して複数の改質部を形成する工程と、基体２の内部に形成された改質部をエッチングにより除去して、誘導空間（トレンチ構造及び微細孔）を形成する工程と、からなる。
【００４７】
（４−１）改質部形成工程
まず、基体２の誘導空間となる領域にレーザ光照射を行う。レーザ光の光源としては、例えば、フェムト秒レーザ光を用いることができる。フェムト秒レーザとは、パルスの時間幅がフェムト秒（ｆｓ）オーダーのレーザである。数フェムト秒から数百フェムト秒という超短パルスであるが故に高いピーク強度を有しており、焦点付近で非線形光学現象である多光子吸収を誘起するため、焦点近傍で加工対象物である基体２の物性を変化させ、微細な改質部を形成することができる。その際、被加工材料である基体２としては、たとえばガラス材料などの透明材料が好適に用いられる。
【００４８】
レーザ光は、例えば、基体２の一方の主面側から照射され、形成される誘導空間が基体２内の少なくとも２層以上に並べて配置されるように集光部Ｓを走査する。また、誘導空間となる改質部は、レーザ光源から遠い方から順に形成されるように、集光部Ｓを走査する。その結果、基体２内部に、誘導空間となる改質部を三次元的に形成することができる。
また、混合させる流体に応じて、照射するレーザ光の出力を適宜調整することにより、所望の誘導空間径が形成される改質部とすることができる。
【００４９】
照射強度は、基体２を構成する材料の加工閾値近傍または加工閾値以上、且つアブレーション閾値以上であることが好ましい。よりエッチング選択性の高い改質部を形成するためである。
ここで、加工閾値は、改質部を形成させるためのレーザーパルスパワーの下限値と定義される。また、アブレーション閾値とは、アブレーションを発生させるためのレーザーパルスパワーの下限値であり、加工閾値とは異なる。一般的に加工閾値はアブレーション閾値よりも小さな値をとる。
なお、改質部を形成する際、レーザ光を照射する方向としては、基体の一方または他方の主面からのみ照射しても、基板の両主面から照射しても良い。
【００５０】
（４−２）誘導空間形成工程
改質部形成工程を経て、誘導空間となる領域が改質された基体２を、エッチング液（薬液）に浸漬して、改質部をウェットエッチングし、改質部を基板から除去する。改質部が除去された基体２内部には、トレンチ構造及び微細孔からなる、一群の誘導空間が三次元的に形成される。
【００５１】
本実施形態に係る流体制御デバイス１においては、基体２として石英ガラスを用い、エッチング液としてフッ酸（ＨＦ）を主成分とする溶液を用いた。かかるエッチング処理は、レーザ光の未照射領域に比べて改質部が数十倍のエッチング速度でエッチングされる現象を利用するものである。従って、エッチング時間を制御することにより、レーザ光を照射した誘導空間を形成すべき領域のみを選択的にエッチングして除去することができ、このエッチングの選択性を利用して基体２内に固定構造として一群の誘導空間を三次元的に形成することができる。
【００５２】
エッチング液は特に限定されず、例えば、フッ酸（ＨＦ）を主成分とする溶液の他、フッ酸に硝酸等を適量添加したフッ硝酸系の混酸やＫＯＨ等のアルカリも用いることができる。また、基体２の材料に応じて、他の薬液を用いることもできる。
【００５３】
（５）作用・効果
本実施形態（タイプ１）に係る流体制御デバイス１（１ａ、１ｂ、１ｃ）は、単一の基体２内に、それぞれが独立したトレンチ構造をなす、複数の誘導空間が形成されている。複数の誘導空間は特定の一群を構成する誘導空間群αと、他の特定の一群を構成する誘導空間群β（ｎ）として、基体２の表面（外面）において、流体が流入する領域Ｂ、Ｃと、流体が流出する領域Ａに各々開口部を有し、領域Ａと、領域Ｂ及び領域Ｃとを連通した３次元的な誘導空間群として形成されている。特に、本実施形態では、誘導空間を、トレンチ構造に接続して配される複数の微細孔を形成している。
領域Ａに面した誘導空間群α及び誘導空間群β（ｎ）のそれぞれの開口部は、領域Ａに対する面内において、二次元的に配列されている。また、それぞれの誘導空間群α及び誘導空間群β（ｎ）を構成する微細孔の開口部は、領域Ａに通じる開口部同士が、互い違いに、最も隣接した位置をなして形成されている。
【００５４】
従って、本実施形態（タイプ１）に係る流体制御デバイス１（１ａ、１ｂ、１ｃ）においては、領域Ｂ、Ｃから流入した複数の種類の流体が、領域Ａから流出するまでに、混ざることがなく、独立して流体の流れを制御することができる。そのために、複数の流体が誘導空間内で混ざることにより生成される固形物などが、誘導空間内に徐々に堆積して誘導空間を部分的に閉塞するという虞がない。
また、基体２内において、複数の誘導空間群が三次元的に積層して形成されているために、二次元的な誘導空間に比べて飛躍的に多数の誘導空間を設けることができ、処理能力及び生産性を高めることができる。
更に、基体２内の誘導空間群は、一体で連続体であるために接合界面で液漏れすることがなく、耐圧性能を高くすることができる。
特に、本実施形態では、誘導空間を、トレンチ構造に接続して配される複数の微細孔を形成することで、誘導空間をトレンチ構造のみとした場合よりも流速分布を均一にすることができる上に、誘導空間内の圧力損失を最小限に抑え、２液境界面を４面とすることができる。このため、流体の混合速度を速めることができる。
【００５５】
（６）流体制御デバイスの構成（タイプ２）
（６−１）第２実施形態（Ｎｏ．Ｅ４）
図９は、本実施形態に係る流体制御デバイス１ｄ（１）の一構成例を示す模式図であり、（ａ）は、流体制御デバイス１ｄ（１）を模式的に示した斜視図、（ｂ）は、矢視Ｘ９−Ｘ９の断面模式図、（ｃ）は、矢視Ｙ９−Ｙ９の断面模式図、（ｄ）は、矢視Ｚ９ａの部分平面図、（ｅ）は、矢視Ｚ９ｂの部分平面図、である。
以下、本発明に係る第２実施形態を、図面を参照しながら説明する。
【００５６】
本発明の流体制御デバイス１ｄ（１）は、単一の混合空間と、トレンチ構造をなす複数の誘導空間と、複数の流入空間と、を内在した基体からなる。
本実施形態に係る流体制御デバイス１ｄ（１）は、第１実施形態の流体制御デバイス１ａ（１）と同様に、前記混合空間から見て、前記誘導空間の一方の開口部は、略長方形状をなす前記トレンチ構造のそれぞれに接続して配される複数の微細孔の開口部からなり、隣接する位置関係にある該誘導空間の一方のトレンチ構造の長辺同士が、離間して所定の間隔で並列に配され、隣接する位置にある、一方のトレンチ構造における微細孔の開口部に対応する、他方のトレンチ構造における微細孔の開口部が各々、異なる前記流入空間へ連通している。
しかし、本発明の流体制御デバイス１ｄ（１）は、平板状をなす基体において、２つの流入空間Ｓｂ、Ｓｃが基体の下面側の異なる領域（Ｂ、Ｃ）に、流出空間Ｓａが基体の上面側（Ａ）に、それぞれ配置されている点が、第１実施形態の流体制御デバイス１ａ（１）と異なっている。
【００５７】
図９に示すように、流体制御デバイス１ｄ（１）においては、単一の基体２内に、複数のトレンチ構造３、３、・・・、４、４、・・・が形成されている。混合空間から見て、前記トレンチ構造３、３、・・・、４、４、・・・は、略長方形状をなす。
ここで、略長方形状とは、図１（ｃ）と同様に、前記トレンチ構造３の先端部３ｐ（すなわち、流入空間から最も遠い、奥まった部位）が、前記混合空間から見て、直線状である他に、丸みを帯びた形状（たとえば円弧状）を成している構成も含むことを意味する。前記トレンチ構造４の先端部４ｐも同様である。
また、基体２内において、隣接する位置関係にある誘導空間の、一方のトレンチ構造の長辺同士が、離間して所定の間隔で並列に配されている。
【００５８】
複数のトレンチ構造３、３、・・・、４、４、・・・のそれぞれに接続して配される、複数の微細孔５、５、・・・、６、６、・・・が形成されている。混合空間から見て、前記誘導空間の一方の開口部は、複数の微細孔５、５、・・・、６、６、・・・の開口部５ｂ、５ｂ、・・・、６ｂ、６ｂ、・・・からなる。
流入空間から見て、前記誘導空間の他方の開口部は、複数のトレンチ構造３、３、・・・、４、４、・・・の開口部３ａ、３ａ、・・・、４ａ、４ａ、・・・からなる。
一方のトレンチ構造３、３、・・・における微細孔５、５、・・・の開口部５ｂ、５ｂ、・・・に対応する、他方のトレンチ構造４、４、・・・における微細孔６、６、・・・の開口部６ｂ、６ｂ、・・・が各々、基体の下面側の異なる領域（Ｂ、Ｃ）において、異なる前記流入空間へ連通している。
【００５９】
これら複数の誘導空間のうち特定の一群を構成する誘導空間群αは、基体２の表面（外面）における領域Ａと領域Ｂに各々開口部３ａ、３ａ、・・・、５ｂ、５ｂ、・・・を有する。
誘導空間のうち他の特定の一群を構成する誘導空間群βは、基体２の表面（外面）における領域Ａと領域Ｃに各々開口部４ａ、４ａ、・・・、６ｂ、６ｂ、・・・を有している。
また、基体２内において、それぞれの誘導空間群α、β（１）に属する微細孔５、５、・・・、６、６、・・・は、他の微細孔と離間して配されている。
【００６０】
図９（ｂ）、（ｃ）の断面模式図に示すように、単一の基体２内に設けられたトレンチ構造３、３、・・・及び微細孔５、５、・・・、は、基体２の表面（外面）における領域Ａと領域Ｂとを連通した３次元的な誘導空間群αとして形成されている。同様に、トレンチ構造４、４、・・・及び微細孔６、６、・・・、は、基体２の表面（外面）における領域Ａと領域Ｃとを連通した三次元的な誘導空間群β（１）として形成されている。
【００６１】
領域Ａに面した誘導空間群α及び誘導空間群β（１）のそれぞれの微細孔５、５、・・・、６、６、・・・の開口部５ｂ、５ｂ、・・・、６ｂ、６ｂ、・・・は、図９（ｄ）に示すように、領域Ａに対する面内において、二次元的に配列されている。また、開口部同士が、互い違いに、最も隣接した位置をなして形成されている。
これに対して、基体の下面側の異なる領域（Ｂ、Ｃ）においては、一方のトレンチ構造３、３、・・・の開口部３ａ、３ａ、・・・は、図９（ｄ）に示すように、トレンチ構造を反映した略長方形の形状をなし、互いに離間して並列に配置されている。トレンチ構造４、４、・・・の開口部４ａ、４ａ、・・・も、同様の形状および配置とされている。
【００６２】
流体制御デバイス１ｄ（１）においては、異なる材料（流体）が、それぞれ異なる空間、例えば流入空間ｃから流入し、誘導空間であるトレンチ構造３、３、・・・、４、４、・・・及び微細孔５、５、・・・、６、６、・・・を通り、共通する空間、例えば混合空間から流出する。
基体の下面側の異なる領域（Ｂ、Ｃ）において、トレンチ構造３、３、・・・、４、４、・・・、の開口部３ａ、３ａ、・・・、４ａ、４ａ、・・・を、図９（ｄ）に示すように、トレンチ構造を反映した略長方形の形状にするとともに、誘導空間の大部分をトレンチ構造としたことにより、誘導空間を微細孔とした場合に比べて、誘導空間は多量の流体を取り込み、かつ、多量の流体を流すことができる。
そして、混合空間に放出する手前の部分には、トレンチ構造３、３、・・・、４、４、・・・に接続して配される複数の微細孔５、５、・・・、６、６、・・・を形成することで、誘導空間をトレンチ構造のみとした場合よりも流速分布を均一にすることができる上に、誘導空間内の圧力損失を最小限に抑え、２液境界面を４面とすることができる。このため、流体の混合速度を速めることができる。なお、前記特許文献２に記載されているマイクロミキサでは、２液境界面は２面である。
【００６３】
つまり、第２実施形態（タイプ２）の流体制御デバイス１ｄ（１）は、平板状をなす基体において、２つの流入空間Ｓｂ、Ｓｃが基体の下面側の異なる領域（Ｂ、Ｃ）に、流出空間Ｓａが基体の上面側（Ａ）に、それぞれ配置されている点が、第１実施形態の流体制御デバイス１ａ（１）と異なっている。
ただし、第２実施形態（タイプ２）の流体制御デバイス１ｄ（１）は、以下に示すように、他の点（６ａ）〜（６ｃ）においては、上述した第１実施形態（タイプ１）と同様である。
【００６４】
（６ａ）前記混合空間から見て、前記誘導空間の一方の開口部は、長方形状をなす前記トレンチ構造のそれぞれに接続して配される複数の微細孔の開口部からなり、隣接する位置関係にある該誘導空間の一方のトレンチ構造の長辺同士が、離間して所定の間隔で並列に配され、隣接する位置にある、一方のトレンチ構造における微細孔の開口部に対応する、他方のトレンチ構造における微細孔の開口部が各々、異なる前記流入空間へ連通している。
（６ｂ）単一の基体２内に、複数のトレンチ構造３、３、・・・、４、４、・・・が形成されている。混合空間から見て、前記トレンチ構造３、３、・・・、４、４、・・・は、略長方形状をなす。ここで、略長方形状とは、図には明示しないが、前記トレンチ構造３の先端部３ｐ（すなわち、流入空間から最も遠い、奥まった部位）が、前記混合空間から見て、直線状である他に、丸みを帯びた形状（たとえば円弧状）を成している構成も含むことを意味する。前記トレンチ構造４の先端部４ｐも同様である。
（６ｃ）基体２内において、隣接する位置関係にある誘導空間の、一方のトレンチ構造の長辺同士が、離間して所定の間隔で並列に配されている。
【００６５】
第２実施形態（タイプ２）の流体制御デバイスにおいても、複数のトレンチ構造３、３、・・・、４、４、・・・のそれぞれに接続して配される、複数の微細孔５、５、・・・、６、６、・・・が形成されている。混合空間から見て、前記誘導空間の一方の開口部は、複数の微細孔５、５、・・・、６、６、・・・の開口部５ｂ、５ｂ、・・・、６ｂ、６ｂ、・・・からなる。
流入空間から見て、前記誘導空間の他方の開口部は、複数のトレンチ構造３、３、・・・、４、４、・・・の開口部３ａ、３ａ、・・・、４ａ、４ａ、・・・からなる。
一方のトレンチ構造３、３、・・・における微細孔５、５、・・・の開口部５ｂ、５ｂ、・・・に対応する、他方のトレンチ構造４、４、・・・における微細孔６、６、・・・の開口部６ｂ、６ｂ、・・・が各々、異なる前記流入空間へ連通している。
【００６６】
特に、図９に示した第２実施形態（タイプ２）の流体制御デバイスでは、基体２の下面側における領域Ｂと領域Ｃにおいて各々、異なる流入空間へ連通している微細孔の開口部が、個々のトレンチ構造ごとに１つ（単一）の略長方形をなすように構成されている［図９（ｅ）］。ゆえに、図９に示した第２実施形態（タイプ２）の流体制御デバイスは、複数の微細孔の開口部によって流入空間へ連通する構成［図１５］に比べて、大きな流入量に対応できるとともに、圧力損失の低減も図ることが可能となる。
【００６７】
図９に示した流体制御デバイス１は、「平板状を成す基体において、２つの流入空間Ｓｂ、Ｓｃが基体の下面側の異なる位置に配置され、それぞれ領域Ｂと領域Ｃに対応しており、流出空間Ｓａが基体の上面側に配置され、領域Ａに対応している構成例」である。しかしながら、第２実施形態（タイプ２）の流体制御デバイスは、図９の構成例に限定されるものではない。たとえば、領域Ａ〜Ｃが重なること無く、個別に配置される条件を満たすなら、領域Ｂと領域Ｃの何れか一方、または両方を、領域Ａと同じ基体の上面側に設けても構わない。
第２実施形態（タイプ２）の流体制御デバイスとした場合は、基体の上下両面側から基体を挟むように筐体を配するだけで、上述した高い耐圧性能を実現できる。
【００６８】
（６−２）変形例２Ａ（Ｎｏ．Ｅ５）
図１０は、本実施形態（第２実施形態）に係る流体制御デバイスの一変形例（以下、変形例２Ａとも呼ぶ）を示す模式図である。図１０において（ａ）は、流体制御デバイス１ｅ（１）を模式的に示した斜視図、（ｂ）は、矢視Ｘ１０−Ｘ１０の断面模式図、（ｃ）は、矢視Ｙ１０−Ｙ１０の断面模式図、（ｄ）は、矢視Ｚ１０ａの平面図、（ｅ）矢視Ｚ１０ｂの平面図、である。
【００６９】
変形例２Ａの流体制御デバイス１ｅ（１）は、上述した第２実施形態の流体制御デバイス１ｄ（１）と同様に、単一の混合空間と、トレンチ構造をなす複数の誘導空間と、複数の流入空間と、を内在した基体からなる。そして、図１０の流体制御デバイス１ｅ（１）においても、同じ誘導空間群に属していても、トレンチ構造をなす複数の誘導空間は、ほぼその全長に亘って、他の誘導空間と離間して配されている。
【００７０】
また、変形例２Ａの流体制御デバイス１ｅ（１）は、「平板状をなす基体において、２つの流入空間Ｓｂ、Ｓｃが基体の下面側の異なる領域（Ｂ、Ｃ）に、流出空間Ｓａが基体の上面側（Ａ）に、それぞれ配置された点」においても、上述した第二実施形態（タイプ２）と同様である。
【００７１】
しかしながら、変形例２Ａの流体制御デバイスは、「トレンチ構造をなす複数の誘導空間が各々、２つの流入空間Ｓｂ、Ｓｃに連通する手前の部位αが、複数の微細孔３ａ、３ａ、・・・、４ａ、４ａ、・・・に分かれて構成されている点」において、上述した第二実施形態（タイプ２）の流体制御デバイス１ｄ（１）と相違している［図１０（ｅ）］。
【００７２】
上述した第二実施形態（タイプ２）と相違する点を備えたことにより、変形例２Ａの流体制御デバイス１ｅ（１）においては、２つの流入空間Ｓｂ、Ｓｃから流体制御デバイスの内部へ進入する流体が、複数の微細孔３ａ、３ａ、・・・、４ａ、４ａ、・・・を通過してから、初めてトレンチ構造の内部へ導入される。
ゆえに、変形例２Ａの流体制御デバイスによれば、上述した第二実施形態（タイプ２）と同様に高い耐圧性能が実現できるとともに、複数の微細孔３ａ、３ａ、・・・、４ａ、４ａ、・・・に関して、単位面積あたりに設ける微細孔の数や、微細孔の開口径、微細孔の開口形状、微細孔の内壁面形状、微細孔の長さ（奥行き距離）などを適宜調整することにより、複数の微細孔３ａ、３ａ、・・・、４ａ、４ａ、・・・がフィルターとして機能するので、トレンチ構造の内部へ流体とともに異物が侵入する虞が解消される。
【００７３】
（６−３）変形例２Ｂ（Ｎｏ．Ｅ６）
図１１は、本実施形態（第２実施形態）に係る流体制御デバイス１の他の変形例（以下、変形例２Ｂとも呼ぶ）を示す模式図である。図１１において、（ａ）は、流体制御デバイス１ｆ（１）を模式的に示した斜視図、（ｂ）は、矢視Ｘ１１−Ｘ１１の断面模式図、（ｃ）は、矢視Ｙ１１−Ｙ１１の断面模式図、（ｄ）は、矢視Ｚ１１ａの平面図、（ｅ）矢視Ｚ１１ｂの平面図、である。
【００７４】
変形例２Ｂの流体制御デバイス１ｆ（１）は、上述した第２実施形態の流体制御デバイス１ｄ（１）と同様に、単一の混合空間と、トレンチ構造をなす複数の誘導空間と、複数の流入空間と、を内在した基体からなる。
また、変形例２Ｂの流体制御デバイス１ｆ（１）は、「平板状をなす基体において、２つの流入空間Ｓｂ、Ｓｃが基体の下面側の異なる領域（Ｂ、Ｃ）に、流出空間Ｓａが基体の上面側（Ａ）に、それぞれ配置された点」においても、上述した第二実施形態（タイプ２）と同様である。
【００７５】
しかしながら、変形例２Ｂの流体制御デバイス１ｆ（１）においては、同じ誘導空間群に属していても、トレンチ構造をなす複数の誘導空間は、「前記混合空間から見て、トレンチ構造３、４のそれぞれに接続して配される複数の微細孔の開口部５ｂ、６ｂが設けられた部分３ｃ、４ｃ」においては、他の誘導空間と離間して配されているが、トレンチ構造３、４の「その他の部分３ａ、３ｂ、４ａ、４ｂ」においては、全部あるいは一部が、同じ誘導空間群に属するもの同士、大きな１つのトレンチ構造をなしている点」において、上述した第二実施形態（タイプ２）と異なっている［図１１（ｅ）］。
【００７６】
上述した第二実施形態（タイプ２）と異なっている点を備えたことにより、変形例２Ｂの流体制御デバイス１ｆ（１）においては、２つの流入空間Ｓｂ、Ｓｃから流体制御デバイスの内部へ進入する流体が、「その他の部分３ａ、３ｂ、４ａ、４ｂ」においては、大きな１つのトレンチ構造の内部を進むことができる。
ゆえに、変形例２Ｂの流体制御デバイス１ｆ（１）によれば、上述した第二実施形態（タイプ２）の流体制御デバイス１ｄ（１）と同様に高い耐圧性能が実現できるとともに、第二実施形態（タイプ２）の流体制御デバイス１ｄ（１）に比べて圧力損失による影響を低減することが可能となる。「その他の部分３ａ、３ｂ、４ａ、４ｂ」に占める「大きな１つのトレンチ構造」の割合を適宜調整することにより、流体の各種条件、たとえば粘度や、流量、流速などに応じた細やかな設計を行うこともできる。たとえば、流体の進行方向において、「大きな１つのトレンチ構造」の断面積や断面形状を変化させることにより、流体内に発生し、流れ易さを阻害する要因となる渦流等を解消、或いは軽減することも可能となる。
【００７７】
（７）流体混合器の構成（タイプ２）
図１２は、流体混合器１０Ｂ（１０）の他の一構成例を示す断面模式図であり、上記（６−１）に開示した第２実施形態（タイプ２）の流体制御デバイスを搭載した場合である。
以下、本発明に係る流体混合器１０Ｂ（１０）を、図面を参照しながら説明する。
【００７８】
図１２に示すように、流体混合器１０Ｂ（１０）は、流体制御デバイス１と、該流体制御デバイス１を内在し、該流体制御デバイス１の領域Ａに面する単一の流出空間Ｓａと、該流体制御デバイス１の領域Ｂと領域Ｃに個別に面する単一の流入空間Ｓｂ、Ｓｃを備えた筐体２０Ｂ（２０）から構成されている。筐体２０Ｂ（２０）としては、ステンレス等の金属類を用いることができる。図１２に示す流体混合器１０Ｂ（１０）では、流体制御デバイス１（の外面）と筐体２０Ｂ（２０）（の内面）との間に、後述するシール部材を設けて、互いに間接的に接触するように構成されている。
【００７９】
筐体２０Ｂ（２０）は、流体制御デバイス１を構成する基体２の領域Ａの表面（外面）に対向して流出空間Ｓａを形成する上部筐体２０ａと、基体２の領域Ｂ、Ｃの表面（外面）に対向して流入空間Ｓｂ、Ｓｃを形成する下部筐体２０ｂと、からなる。また、流体制御デバイス１の領域Ａ、Ｂ、Ｃのそれぞれの表面（外面）と、上部筐体２０Ｂａ及び下部筐体２０Ｂｂとは、シール部材Ｒを介して接合され、流出空間Ｓａと流入空間Ｓｂ、Ｓｃとは独立した空間として形成されている。流体制御デバイス１の表面（外面）と筐体２０Ｂ（２０）との間に、シール部材Ｒを備えることにより、流体混合器１０Ｂ（１０）と筐体２０Ｂ（２０）との間の密着性が高まるので、流体の圧力や流量、流速に対応する柔軟性の向上が図れる。ここで、シール部材Ｒとしては、Ｏリング等の弾性シール部材を用いることができる。
【００８０】
また、図１２に示すように、流体混合器１０Ｂ（１０）においては、流体制御デバイス１を、上下に分割した筐体２０ａ、２０ｂで挟持して接合することにより、流体制御デバイス１を着脱可能としている。流体混合器１０Ｂ（１０）と筐体２０Ｂ（２０）との間にシール部材Ｒする構成により、流体混合器１０Ｂ（１０）は、混ぜられる流体の種類、性質に応じて、流体制御デバイスを適宜選択する機能や、定期的にメンテナンス（修理、交換）する機能において、上述した流体混合器１０Ａ（１０）より優れており、多機能かつ長期信頼性の向上が図れる。
【００８１】
図１３は、着脱可能な流体制御デバイスを備えた流体混合器の構成を説明するための模式図である。図１３に示すように、流体混合器１０Ｂ（１０）は、流体制御デバイス１を、上下に分割した筐体（上部筐体２０ａ、下部筐体２０ｂ）で挟時して接合することによって、流体制御デバイス１を着脱可能としている。従って、混合される流体の種類、性質に応じて、流体制御デバイスを適宜選択することができる。
【００８２】
（８）比較例：流体制御デバイスおよび流体混合器
図１５は、比較例１に係る流体制御デバイス１０１の構成例を示す模式図であり、図１５（ａ）は流体制御デバイス１０１を模式的に示した斜視図である。図１５（ｂ）は、矢視Ｘ１０１−Ｘ１０１の断面模式図、図１５（ｃ）は、矢視Ｙ１０１−Ｙ１０１の断面模式図、図１５（ｄ）は、矢視Ｚ１０１の平面図である。
以下、比較例１に係る流体制御デバイス１０１を、図面を参照しながら説明する。後述するように、比較例１に係る流体制御デバイスは、「基体１０２内において、それぞれの流路群α、β（１）に属する微細孔１０３、１０３、・・・、１０４、１０４、・・・が、その全長に亘り、他の微細孔と離間して配されている構成」を備えていることが、本発明に係る流体制御デバイスとの相違点である。
【００８３】
図１５（ａ）〜図１５（ｄ）に示すように、流体制御デバイス１０１は、単一の基体１０２内に、複数の微細孔１０３、１０３、・・・、１０４、１０４、・・・が形成されている。これら複数の微細孔１０３、１０３、・・・、１０４、１０４、・・・のうち特定の一群を構成する流路群αは、基体２の表面（外面）における領域Ａと領域Ｂに各々開口部１０３ａ、１０３ａ、・・・、１０３ｂ、１０３ｂ、・・・を有し、微細孔のうち他の特定の一群を構成する流路群β（１）は、基体２の表面（外面）における領域Ａと領域Ｃに各々開口部１０４ａ、１０４ａ、・・・、１０４ｂ、１０４ｂ、・・・を有している。
また、基体２内において、それぞれの流路群α、β（１）に属する微細孔１０３、１０３、・・・、１０４、１０４、・・・は、その全長に亘り、他の微細孔と離間して配されている。
【００８４】
特に、図１５に示した構成例（比較例１）では、流体制御デバイス１を構成する基体２の領域Ａの表面（外面）に対向して流出空間Ｓａが形成され、基体２の領域Ｂ、Ｃの表面（外面）に対向して流入空間Ｓｂ、Ｓｃが形成されており、領域Ａが基体２の上面に、領域Ｂ、Ｃは基体１０２の異なる側面に配されている。
図１５に示した構成例（比較例１）の変形例（比較例２）として、領域Ａが基体１０２の上面に、領域Ｂ、Ｃは基体の下面において異なる箇所に配する構成（不図示）が挙げられる。他の点は、図１５に示した構成例（比較例１）と同一である。
【００８５】
図１５（ｂ）、図１５（ｃ）の断面模式図に示すように、単一の基体１０２内に設けられた微細孔１０３、１０３、・・・は、基体１０２の表面（外面）における領域Ａと領域Ｂとを連通した３次元的な流路群αとして形成されている。同様に、微細孔１０４、１０４、・・・は、基体１０２の表面（外面）における領域Ａと領域Ｃとを連通した三次元的な流路群β（１）として形成されている。
【００８６】
領域Ａに面した流路群α及び流路群β（１）のそれぞれの開口部１０３ｂ、１０３ｂ、・・・、１０４ｂ、１０４ｂ、・・・は、図１（ｄ）に示すように、領域Ａに対する面内において、二次元的に配列されている。また、開口部同士が、互い違いに、最も隣接した位置をなして形成されている。
図１（ｄ）において、符号Ｓは「スペース」であり、隣接する開口部３ｂと開口部４ｂの外周端間の距離を意味する。符号Ｌは「ピッチ」であり、隣接する開口部３ｂの中心（黒丸）と開口部４ｂの中心（黒丸）との距離を意味する。
【００８７】
（９）本発明と比較例の機能比較
上記（１）〜（８）を踏まえ、本発明の課題（混合性、処理能力、耐圧）を中心として、一覧表に纏めたものが、以下に示す表１である。ここで、各項目Ａ〜Ｔは各々、最も優れた構成例を最高評価「５」として５段階で表示している。
流体制御デバイス（ガラス部）については、次のＡ〜Ｄを評価した。
Ａ：混合性とは、流体同士の混ざりやすさを意味する。
Ｂ：処理能力とは、単位時間あたりに生産される混合液の量を意味する。流路の圧力損失が小さいほど、処理能力は高まる。
Ｃ：耐圧性とは、流体圧力に対する流路の強度を意味する。
Ｄ：フィルタ効果とは、異物が流入するのを防ぐ能力の高さを意味する。基体の流入空間側での開口部が小さいほど、フィルタ効果は高まる。
流体混合器（筐体との関係）については、次のＥ〜Ｆを評価した。
Ｅ：耐圧性とは、流体圧力に対する流路の強度と、基体と筐体部との間のシール強度との総合性能を意味する。
Ｆ：処理能力とは、単位時間あたりに生産される混合液の量と、基体と筐体部との間のシール強度との総合性能を意味する。
【００８８】
【表１】
2015000375.tif 000003
【００８９】
表１の特記事項Ｔに相当する内容は、以下のとおりである。特に、比較例１（Ｃ１）に対する特長を記す。
Ｔ１：ガラス部の処理能力が高い。
Ｔ２：ガラス部の処理能力が高いことに加えて、千鳥格子状（流速分布を均一化、２液境界面
を４面化）により、混合速度の向上が図れる。
Ｔ３：ガラス部の耐圧性を高めつつ、ガラス部の処理能力を確保できる。
Ｔ４：最もバランスが良い。基体の上下両面側から基体を挟むように筐体を配する構成＋大き
な流入量に対応できる（処理能力の向上）とともに、圧力損失の低減も図れる。
Ｔ５：Ｅ４の機能・特性に加え、フィルタ機能を追加できるので、長期安定性に優れる。
Ｔ６：Ｔ１〜Ｔ５と比べても、筐体の処理能力が最も高い。
【００９０】
表１より、以下のことが明らかとなった。
（イ）混合性に関しては、本発明に係る流体制御デバイス（Ｅ１〜Ｅ６）と比較例（Ｃ１〜Ｃ２）は違いがなく、何れも優れた特性を有する。
（ロ）基体の処理能力に関しては、本発明に係る流体制御デバイス（Ｅ１〜Ｅ６）の方が全て、比較例（Ｃ１〜Ｃ２）に比べて高い。中でも、Ｅ１、Ｅ２、Ｅ６が優れている。
（ハ）耐圧性に関しては、全ての流路が微細孔から構成される比較例が優れている。しかしながら、本発明に係る流体制御デバイスにおいても、トレンチ構造を分割した構成を備える（Ｅ３）ことにより同様の耐圧性が確保される。
（ニ）流体混合器（筐体との関係）において、優れた耐圧性を得るためには、流体制御デバイスを挟む位置に各々、流入空間と流出空間を設ける構成（Ｅ４〜Ｅ６、Ｃ２）が有効である。この構成を採用する場合は、流体制御デバイスと筐体との間に、シール部材を設けて、互いに間接的に接触するように構成が可能なので、耐圧性がさらに改善される。また、流体制御デバイスが着脱可能となり、交換・メンテナンスの点からも有効である。
（ホ）流体混合器（筐体との関係）において、優れた処理能力を得るためには、誘導空間のうち、微細孔とトレンチ構造の組み合わせは、最小限の部分（混合空間の近傍に位置する箇所）だけに留める構成が有効である（Ｅ６）。Ｔ１〜Ｔ５と比べて筐体の処理能力が最も高いことから、ガラス部の耐圧性に工夫を要する。
したがって、本発明は、極めて効率的な混合を可能にすると共に、処理能力が高く、高耐圧を有する流体制御デバイス、及び流体混合器の提供に寄与するものである。
【００９１】
（１０）流体制御デバイスの応用例（第３実施形態）
図１４は、上述したような流体制御デバイス１、１ａ、１ｂを搭載した本実施形態に係るμＴＡＳチップ１００の一構成例を示す模式図であり、（ａ）は、μＴＡＳチップ１００の平面図、（ｂ）は、流体制御デバイス部分の拡大平面図、（ｃ）は、流体制御デバイス部分の拡大断面図である。
【００９２】
図１４に示したμＴＡＳチップ１００は、μＴＡＳチップ本体として機能する基体１１０と、この基体１１０と一体を成すように設けられた流体制御デバイス１（１ａ，１ｂ）を少なくとも備える。このμＴＡＳチップ１００は、さらに、流体制御デバイス１（１ａ、１ｂ）の下流側にリアクタ１２０、セパレータ１３０、検出器１４０を備えているが、これはμＴＡＳチップの一構成例であって、これに限定されるものではない。たとえば、リアクタ１２０、セパレータ１３０、検出器１４０は、μＴＡＳチップ１００と別体を成す構成としてもよい。
【００９３】
分析対象の流体（液体や気体）と、選択されたキャリアとは、流入空間Ｓｂ、Ｓｃから、それぞれのフィルター機能部Ｆを通った後、流体制御デバイス１の誘導空間へ流入し、流出空間Ｓａで混合される。その後、リアクタ１２０で反応したサンプルは、必要に応じてセパレータ１３０で、キャリアと分離され、所望の分析情報が検出器１４０によって、外部機器等へ取り出される。
【００９４】
なお、μＴＡＳの構成としては、本実施形態のように流体混合部やリアクタ、セパレータ等を一つの基板に集積させたものの他に、流体混合器、リアクタ、セパレータ等の個別部品を組み上げてシステム化することもできる。
【００９５】
以上、本発明の実施形態として、具体例を挙げて説明したが、本発明の技術的範囲は前記実施形態に限定されるものではなく、本発明の趣旨を逸脱しない範囲において種々の変更を加えることが可能である。
【符号の説明】
【００９６】
１ａ、１ｂ、１ｃ、１ｄ、１ｅ、１ｆ（１）  流体制御デバイス、２  基体、３、４  トレンチ構造、５、６  微細孔、１００  μＴＡＳチップ、Ｓａ  流出空間、Ｓｂ、Ｓｃ  流入空間、α、β（ｎ）  誘導空間群。
【図１】
2015000375.tif 000004
【図２】
2015000375.tif 000005
【図３】
2015000375.tif 000006
【図４】
2015000375.tif 000007
【図５】
2015000375.tif 000008
【図６】
2015000375.tif 000009
【図７】
2015000375.tif 000010
【図８】
2015000375.tif 000011
【図９】
2015000375.tif 000012
【図１０】
2015000375.tif 000013
【図１１】
2015000375.tif 000014
【図１２】
2015000375.tif 000015
【図１３】
2015000375.tif 000016
【図１４】
2015000375.tif 000017
【図１５】
2015000375.tif 000018